(57)【要約】【課題】本発明は、リスニングポイントの調整を容易にすることを目的とする。【解決手段】オーディオアンプ１０に左スピーカ２６から第１テスト音を発生させ、同時にオーディオアンプ１０に右スピーカ２８から第２テスト音を発生させると共に、各スピーカから発せられた音の収集に基づく同時集音信号を取得する同時集音部と、オーディオアンプ１０に左スピーカ２６から第１テスト音を発生させ、左スピーカ２６から発生した第１テスト音に対して遅延している第２テスト音を右スピーカ２８から発生させると共に、各スピーカから発せられた音の収集に基づく第１遅延集音信号を取得する第１遅延集音部と、オーディオアンプ１０に右スピーカ２８から第２テスト音を発生させ、右スピーカ２８から発生した第２テスト音に対して遅延している第１テスト音を左スピーカ２６から発生させると共に、各スピーカから発せられた音の収集に基づく第２遅延集音信号を取得する第２遅延集音部と、これらの集音信号のレベルを比較する比較部とを備える。【選択図】図１
2018170545.tif 000002
【特許請求の範囲】
【請求項１】
オーディオアンプに第１スピーカから第１テスト音を発生させ、同時に前記オーディオアンプに第２スピーカから第２テスト音を発生させると共に、前記第１スピーカおよび前記第２スピーカから発せられた音の収集に基づく同時集音信号を取得する同時集音部と、
前記オーディオアンプに前記第１スピーカから前記第１テスト音を発生させ、前記第１スピーカから発生した前記第１テスト音に対して遅延している前記第２テスト音を前記第２スピーカから発生させると共に、前記第１スピーカおよび前記第２スピーカから発せられた音の収集に基づく第１遅延集音信号を取得する第１遅延集音部と、
前記オーディオアンプに前記第２スピーカから前記第２テスト音を発生させ、前記第２スピーカから発生した前記第２テスト音に対して遅延している前記第１テスト音を前記第１スピーカから発生させると共に、前記第１スピーカおよび前記第２スピーカから発せられた音の収集に基づく第２遅延集音信号を取得する第２遅延集音部と、
前記同時集音信号のレベル、前記第１遅延集音信号のレベル、および前記第２遅延集音信号のレベルを比較する比較部と、
を備えることを特徴とする信号解析装置。
【請求項２】
オーディオアンプに第１スピーカから第１テスト音を発生させ、同時に前記オーディオアンプに第２スピーカから第２テスト音を発生させると共に、前記第１スピーカおよび前記第２スピーカから発せられた音の収集に基づく同時集音信号を取得する同時集音部と、
前記オーディオアンプに前記第１スピーカから前記第１テスト音を発生させ、前記第１スピーカから発生した前記第１テスト音に対して第１時間だけ遅延している前記第２テスト音を前記第２スピーカから発生させると共に、前記第１スピーカおよび前記第２スピーカから発せられた音の収集に基づく第１遅延集音信号を取得する第１遅延集音部と、
前記オーディオアンプに前記第１スピーカから前記第１テスト音を発生させ、前記第１スピーカから発生した前記第１テスト音に対して前記第１時間より長い第２時間だけ遅延している前記第２テスト音を前記第２スピーカから発生させると共に、前記第１スピーカおよび前記第２スピーカから発せられた音の収集に基づく第２遅延集音信号を取得する第２遅延集音部と、
前記同時集音信号のレベル、前記第１遅延集音信号のレベル、および前記第２遅延集音信号のレベルを比較する比較部と、
を備えることを特徴とする信号解析装置。
【請求項３】
請求項１または請求項２に記載の信号解析装置において、
前記比較部は、
前記同時集音信号のレベル、前記第１遅延集音信号のレベル、および前記第２遅延集音信号のレベルのうち、前記同時集音信号のレベルが最大であるときは、前記第１スピーカおよび前記第２スピーカの位置が適切であることをユーザに示す情報を生成し、前記第１遅延集音信号のレベルまたは前記第２遅延集音信号のレベルが最大であるときは、前記第１スピーカを移動させる方向、または前記第２スピーカを移動させる方向をユーザに指示する情報を、比較結果に応じて生成する、
ことを特徴とする信号解析装置。
【請求項４】
演算処理装置に読み込まれる信号解析プログラムにおいて、
オーディオアンプに第１スピーカから第１テスト音を発生させ、同時に前記オーディオアンプに第２スピーカから第２テスト音を発生させると共に、前記第１スピーカおよび前記第２スピーカから発せられた音の収集に基づく同時集音信号を取得する同時集音処理と、
前記オーディオアンプに前記第１スピーカから前記第１テスト音を発生させ、前記第１スピーカから発生した前記第１テスト音に対して遅延している前記第２テスト音を前記第２スピーカから発生させると共に、前記第１スピーカおよび前記第２スピーカから発せられた音の収集に基づく第１遅延集音信号を取得する第１遅延集音処理と、
前記オーディオアンプに前記第２スピーカから前記第２テスト音を発生させ、前記第２スピーカから発生した前記第２テスト音に対して遅延している前記第１テスト音を前記第１スピーカから発生させると共に、前記第１スピーカおよび前記第２スピーカから発せられた音の収集に基づく第２遅延集音信号を取得する第２遅延集音処理と、
前記同時集音信号のレベル、前記第１遅延集音信号のレベル、および前記第２遅延集音信号のレベルを比較する比較処理と、
を前記演算処理装置に実行させることを特徴とする信号解析プログラム。
【請求項５】
請求項４に記載の信号解析プログラムが記憶されたプログラム記憶媒体。
【請求項６】
オーディオアンプに第１スピーカから第１テスト音を発生させ、同時に前記オーディオアンプに第２スピーカから第２テスト音を発生させると共に、前記第１スピーカおよび前記第２スピーカから発せられた音の収集に基づく同時集音信号を取得する同時集音ステップと、
前記オーディオアンプに前記第１スピーカから前記第１テスト音を発生させ、前記第１スピーカから発生した前記第１テスト音に対して遅延している前記第２テスト音を前記第２スピーカから発生させると共に、前記第１スピーカおよび前記第２スピーカから発せられた音の収集に基づく第１遅延集音信号を取得する第１遅延集音ステップと、
前記オーディオアンプに前記第２スピーカから前記第２テスト音を発生させ、前記第２スピーカから発生した前記第２テスト音に対して遅延している前記第１テスト音を前記第１スピーカから発生させると共に、前記第１スピーカおよび前記第２スピーカから発せられた音の収集に基づく第２遅延集音信号を取得する第２遅延集音ステップと、
前記同時集音信号のレベル、前記第１遅延集音信号のレベル、および前記第２遅延集音信号のレベルを比較する比較ステップと、
を含むことを特徴とする信号解析方法。
【請求項７】
オーディオアンプに第１スピーカから第１テスト音を発生させ、前記第１スピーカから発せられた音の収集に基づく第１集音信号を取得する第１集音部と
前記オーディオアンプに第２スピーカから第２テスト音を発生させ、前記第２スピーカから発せられた音の収集に基づく第２集音信号を取得する第２集音部と、
前記オーディオアンプに前記第１スピーカから前記第１テスト音を発生させ、同時に前記オーディオアンプに前記第２スピーカから前記第２テスト音を発生させ、前記第１スピーカおよび前記第２スピーカから発せられた音の収集に基づく同時集音信号を取得する同時集音部と、
前記オーディオアンプに前記第１スピーカから前記第１テスト音を発生させ、前記第１スピーカから発生した前記第１テスト音に対して遅延している前記第２テスト音を前記第２スピーカから発生させ、さらに、前記第１スピーカおよび前記第２スピーカから発せられた音の収集に基づく第１遅延集音信号を取得する第１遅延集音部と、
前記オーディオアンプに前記第２スピーカから前記第２テスト音を発生させ、前記第２スピーカから発生した前記第２テスト音に対して遅延している前記第１テスト音を前記第１スピーカから発生させ、さらに、前記第１スピーカおよび前記第２スピーカから発せられた音の収集に基づく第２遅延集音信号を取得する第２遅延集音部と、
前記第１集音信号のレベルおよび前記第２集音信号のレベルを合算した合算レベルと前記同時集音信号のレベルとを比較し、さらに、前記第１遅延集音信号のレベルおよび前記第２遅延集音信号のレベルを比較する比較部と、
を備えることを特徴とする信号解析装置。
【請求項８】
請求項７に記載の信号解析装置において、
前記比較部は、
前記同時集音信号のレベルを前記合算レベルで割った値が所定値を超えるときは、前記第１スピーカおよび前記第２スピーカの位置が適切であることをユーザに示す情報を生成し、前記同時集音信号のレベルを前記合算レベルで割った値が所定値以下であるときは、前記第１遅延集音信号のレベルと前記第２遅延集音信号のレベルとの比較に基づいて、前記第１スピーカを移動させる方向、または前記第２スピーカを移動させる方向をユーザに指示する情報を生成する、
ことを特徴とする信号解析装置。
【発明の詳細な説明】
【技術分野】
【０００１】
本発明は、信号解析装置、信号解析プログラム、プログラム記憶媒体および信号解析方法に関し、特に、スピーカから発せられる音を解析する技術に関する。
【背景技術】
【０００２】
オーディオシステムによる再生音の立体感につき関心が高まっている。一般に、オーディオシステムでは、左右のスピーカからの距離が等しい位置において、音源に近い立体感が得られる。しかし、リスニングルームの構造によっては、このような位置でリスナーが音楽鑑賞等を楽しむことが困難な場合がある。
【０００３】
そこで、左右いずれか一方のスピーカが発する音の遅延時間を調整することで、音源に近い立体感が得られる位置（リスニングポイント）を調整するオーディオアンプが考えられている。例えば、以下の特許文献１に記載されている音場補正装置は、複数チャネルのスピーカから発せられた音をマイクロホンで収集し、複数チャネルのスピーカから発せられる音の遅延時間を調整することでリスニングポイントを調整する。
【先行技術文献】
【特許文献】
【０００４】
【特許文献１】特開２００２−３３０４９９号公報
【発明の概要】
【発明が解決しようとする課題】
【０００５】
音場補正装置を搭載したオーディオシステムのユーザの間では、リスニングポイントを調整する際の調整幅を小さくすべきとの要望がある。しかし、左または右のスピーカから発せられる音の遅延時間を短い刻み幅で変化させる必要があり、ディジタル回路の高速化が要求され、設計が困難である。
【０００６】
そこで、左右のスピーカからテスト用のパルス音を発すると共にリスナーの位置で音を収集し、収集音の大きさに基づいて左右のスピーカの配置位置をユーザが調整するプレシジョンディスタンスと称される方法が考えられている。しかし、プレシジョンディスタンスでは、リスナーに近付く方向にスピーカを移動すればよいのか、リスナーから遠ざかる方向にスピーカを移動すればよいのかをユーザが把握することが困難な場合がある。
【０００７】
本発明は、リスニングポイントの調整を容易にすることを目的とする。
【課題を解決するための手段】
【０００８】
本発明は、オーディオアンプに第１スピーカから第１テスト音を発生させ、同時に前記オーディオアンプに第２スピーカから第２テスト音を発生させると共に、前記第１スピーカおよび前記第２スピーカから発せられた音の収集に基づく同時集音信号を取得する同時集音部と、前記オーディオアンプに前記第１スピーカから前記第１テスト音を発生させ、前記第１スピーカから発生した前記第１テスト音に対して遅延している前記第２テスト音を前記第２スピーカから発生させると共に、前記第１スピーカおよび前記第２スピーカから発せられた音の収集に基づく第１遅延集音信号を取得する第１遅延集音部と、前記オーディオアンプに前記第２スピーカから前記第２テスト音を発生させ、前記第２スピーカから発生した前記第２テスト音に対して遅延している前記第１テスト音を前記第１スピーカから発生させると共に、前記第１スピーカおよび前記第２スピーカから発せられた音の収集に基づく第２遅延集音信号を取得する第２遅延集音部と、前記同時集音信号のレベル、前記第１遅延集音信号のレベル、および前記第２遅延集音信号のレベルを比較する比較部と、を備えることを特徴とする。
【０００９】
本発明は、オーディオアンプに第１スピーカから第１テスト音を発生させ、同時に前記オーディオアンプに第２スピーカから第２テスト音を発生させると共に、前記第１スピーカおよび前記第２スピーカから発せられた音の収集に基づく同時集音信号を取得する同時集音部と、前記オーディオアンプに前記第１スピーカから前記第１テスト音を発生させ、前記第１スピーカから発生した前記第１テスト音に対して第１時間だけ遅延している前記第２テスト音を前記第２スピーカから発生させると共に、前記第１スピーカおよび前記第２スピーカから発せられた音の収集に基づく第１遅延集音信号を取得する第１遅延集音部と、前記オーディオアンプに前記第１スピーカから前記第１テスト音を発生させ、前記第１スピーカから発生した前記第１テスト音に対して前記第１時間より長い第２時間だけ遅延している前記第２テスト音を前記第２スピーカから発生させると共に、前記第１スピーカおよび前記第２スピーカから発せられた音の収集に基づく第２遅延集音信号を取得する第２遅延集音部と、前記同時集音信号のレベル、前記第１遅延集音信号のレベル、および前記第２遅延集音信号のレベルを比較する比較部と、を備えることを特徴とする。
【００１０】
望ましくは、前記比較部は、前記同時集音信号のレベル、前記第１遅延集音信号のレベル、および前記第２遅延集音信号のレベルのうち、前記同時集音信号のレベルが最大であるときは、前記第１スピーカおよび前記第２スピーカの位置が適切であることをユーザに示す情報を生成し、前記第１遅延集音信号のレベルまたは前記第２遅延集音信号のレベルが最大であるときは、前記第１スピーカを移動させる方向、または前記第２スピーカを移動させる方向をユーザに指示する情報を、比較結果に応じて生成する。
【００１１】
また、本発明は、演算処理装置に読み込まれる信号解析プログラムにおいて、オーディオアンプに第１スピーカから第１テスト音を発生させ、同時に前記オーディオアンプに第２スピーカから第２テスト音を発生させると共に、前記第１スピーカおよび前記第２スピーカから発せられた音の収集に基づく同時集音信号を取得する同時集音処理と、前記オーディオアンプに前記第１スピーカから前記第１テスト音を発生させ、前記第１スピーカから発生した前記第１テスト音に対して遅延している前記第２テスト音を前記第２スピーカから発生させると共に、前記第１スピーカおよび前記第２スピーカから発せられた音の収集に基づく第１遅延集音信号を取得する第１遅延集音処理と、前記オーディオアンプに前記第２スピーカから前記第２テスト音を発生させ、前記第２スピーカから発生した前記第２テスト音に対して遅延している前記第１テスト音を前記第１スピーカから発生させると共に、前記第１スピーカおよび前記第２スピーカから発せられた音の収集に基づく第２遅延集音信号を取得する第２遅延集音処理と、前記同時集音信号のレベル、前記第１遅延集音信号のレベル、および前記第２遅延集音信号のレベルを比較する比較処理と、を前記演算処理装置に実行させることを特徴とする。
【００１２】
また、本発明は、上記信号解析プログラムが記憶されたプログラム記憶媒体である。
【００１３】
また、本発明は、オーディオアンプに第１スピーカから第１テスト音を発生させ、同時に前記オーディオアンプに第２スピーカから第２テスト音を発生させると共に、前記第１スピーカおよび前記第２スピーカから発せられた音の収集に基づく同時集音信号を取得する同時集音ステップと、前記オーディオアンプに前記第１スピーカから前記第１テスト音を発生させ、前記第１スピーカから発生した前記第１テスト音に対して遅延している前記第２テスト音を前記第２スピーカから発生させると共に、前記第１スピーカおよび前記第２スピーカから発せられた音の収集に基づく第１遅延集音信号を取得する第１遅延集音ステップと、前記オーディオアンプに前記第２スピーカから前記第２テスト音を発生させ、前記第２スピーカから発生した前記第２テスト音に対して遅延している前記第１テスト音を前記第１スピーカから発生させると共に、前記第１スピーカおよび前記第２スピーカから発せられた音の収集に基づく第２遅延集音信号を取得する第２遅延集音ステップと、前記同時集音信号のレベル、前記第１遅延集音信号のレベル、および前記第２遅延集音信号のレベルを比較する比較ステップと、を含むことを特徴とする。
【００１４】
また、本発明は、オーディオアンプに第１スピーカから第１テスト音を発生させ、前記第１スピーカから発せられた音の収集に基づく第１集音信号を取得する第１集音部と、前記オーディオアンプに第２スピーカから第２テスト音を発生させ、前記第２スピーカから発せられた音の収集に基づく第２集音信号を取得する第２集音部と、前記オーディオアンプに前記第１スピーカから前記第１テスト音を発生させ、同時に前記オーディオアンプに前記第２スピーカから前記第２テスト音を発生させ、前記第１スピーカおよび前記第２スピーカから発せられた音の収集に基づく同時集音信号を取得する同時集音部と、前記オーディオアンプに前記第１スピーカから前記第１テスト音を発生させ、前記第１スピーカから発生した前記第１テスト音に対して遅延している前記第２テスト音を前記第２スピーカから発生させ、さらに、前記第１スピーカおよび前記第２スピーカから発せられた音の収集に基づく第１遅延集音信号を取得する第１遅延集音部と、前記オーディオアンプに前記第２スピーカから前記第２テスト音を発生させ、前記第２スピーカから発生した前記第２テスト音に対して遅延している前記第１テスト音を前記第１スピーカから発生させ、さらに、前記第１スピーカおよび前記第２スピーカから発せられた音の収集に基づく第２遅延集音信号を取得する第２遅延集音部と、前記第１集音信号のレベルおよび前記第２集音信号のレベルを合算した合算レベルと前記同時集音信号のレベルとを比較し、さらに、前記第１遅延集音信号のレベルおよび前記第２遅延集音信号のレベルを比較する比較部と、を備えることを特徴とする。
【００１５】
望ましくは、前記比較部は、前記同時集音信号のレベルを前記合算レベルで割った値が所定値を超えるときは、前記第１スピーカおよび前記第２スピーカの位置が適切であることをユーザに示す情報を生成し、前記同時集音信号のレベルを前記合算レベルで割った値が所定値以下であるときは、前記第１遅延集音信号のレベルと前記第２遅延集音信号のレベルとの比較に基づいて、前記第１スピーカを移動させる方向、または前記第２スピーカを移動させる方向をユーザに指示する情報を生成する。
【発明の効果】
【００１６】
本発明によれば、リスニングポイントの調整を容易にすることができる。
【図面の簡単な説明】
【００１７】
【図１】スピーカ位置決定システムの構成を示す図である。
【図２】信号レベル測定処理のシーケンスチャートである。
【図３】テストパルス信号および集音信号の時間波形を示す図である。
【図４】テストパルス信号および集音信号の時間波形を示す図である。
【図５】テストパルス信号および集音信号の時間波形を示す図である。
【図６】テストパルス信号および集音信号の時間波形を示す図である。
【図７】信号解析処理のフローチャートである。
【図８】信号解析処理のフローチャートである。
【図９】変形例に係るスピーカ位置決定システムの構成を示す図である。
【発明を実施するための形態】
【００１８】
図１には本発明の実施形態に係るスピーカ位置決定システムの構成が示されている。スピーカ位置決定システムは、オーディオアンプ１０および信号解析装置３０を備えている。このシステムでは、信号解析装置３０が無線通信によってオーディオアンプ１０を制御して、左スピーカ２６および右スピーカ２８からテストパルス音を発生させる。信号解析装置３０はテストパルス音を収集して、信号解析装置３０の位置をリスニングポイントとする場合に各スピーカの位置が適切であるか否かを判定する。
【００１９】
オーディオアンプ１０は、アンプ側無線部１２、制御部１４、パルス信号生成部１６、左チャネル増幅回路１８、および右チャネル増幅回路２０を備えている。左チャネル増幅回路１８の出力端子には左スピーカ２６が接続され、右チャネル増幅回路２０の出力端子には右スピーカ２８が接続されている。
【００２０】
オーディオアンプ１０は、鑑賞モードまたはスピーカ位置決定モードのいずれかで動作する。鑑賞モードは、鑑賞用のオーディオ信号を増幅し、左スピーカ２６および右スピーカ２８にオーディオ信号に応じた音を発生させるモードである。このモードでは左チャネル増幅回路１８に左オーディオ信号２２が入力され、右チャネル増幅回路２０に右オーディオ信号２４が入力される。左チャネル増幅回路１８は左オーディオ信号２２を増幅して左スピーカ２６に出力し、右チャネル増幅回路２０は右オーディオ信号２４を増幅して右スピーカ２８に出力する。各スピーカは、各増幅回路から出力された信号に応じた音を発生する。
【００２１】
スピーカ位置決定モードは、後述するスピーカ位置決定方法を実行するためのモードである。このモードでは、アンプ側無線部１２が信号解析装置３０との間で無線通信を行って信号解析装置３０から指令情報を受信し、指令情報を制御部１４に出力する。制御部１４は指令情報に応じてパルス信号生成部１６を制御し、パルス信号生成部１６は、左チャネル増幅回路１８および右チャネル増幅回路２０の少なくとも一方にテストパルス信号を出力する。すなわち、スピーカ位置決定モードでは、スピーカ位置決定方法の各過程に応じて左チャネル増幅回路１８および右チャネル増幅回路２０の少なくとも一方に、パルス信号生成部１６がテストパルス信号を出力し、各増幅回路がテストパルス信号を増幅し、各スピーカがテストパルス信号に応じた音を発生する。テストパルス信号には、例えば、パワーが周波数に反比例する周波数スペクトラムを有するピンクノイズが採用される。
【００２２】
信号解析装置３０は、信号解析部３２、解析装置側無線部３４、マイクロホン３６、メモリ３８および表示部４０を備えている。信号解析装置３０は、例えば、スマートフォンによって構成される。また、信号解析装置３０は、マイクロホン３６が接続されたパーソナルコンピュータ等であってもよい。メモリ３８には、スピーカ位置決定方法を実行するための信号解析プログラムが記憶されている。信号解析部３２は、例えば、演算処理装置としてのプロセッサを含む。信号解析部３２が信号解析プログラムを実行することで、信号解析装置３０はオーディオアンプ１０との間で無線通信を行い、オーディオアンプ１０を制御する。
【００２３】
すなわち、信号解析部３２は、スピーカ位置決定方法の過程に応じた指令情報を解析装置側無線部３４に出力し、解析装置側無線部３４は指令情報をオーディオアンプ１０に送信する。オーディオアンプ１０は、指令情報に応じて左スピーカ２６および右スピーカ２８の少なくとも一方にテストパルス信号を出力する。
【００２４】
マイクロホン３６は、左スピーカ２６および右スピーカ２８が発生したテストパルス音を収集し、テストパルス音を電気信号である集音信号に変換して信号解析部３２に出力する。信号解析部３２は、集音信号の大きさを表す収集音レベルを求めて、メモリ３８に記憶させる。収集音レベルは、例えば、集音信号のピークレベルである。
【００２５】
後述するように、スピーカ位置決定方法では、左スピーカ２６のみからテストパルス音が発せられる動作、右スピーカ２８のみからテストパルス音が発せられる動作、左スピーカ２６および右スピーカ２８から同時にテストパルス音が発せられる動作、左スピーカ２６および右スピーカ２８からタイミングを異ならせてテストパルス音が発せられる動作等、複数通りの動作でテストパルス音が発せられる。信号解析部３２は、複数通りの動作のそれぞれについて集音信号を取得し、複数通りの動作のそれぞれについて収集音レベルを求めて、メモリ３８に記憶させる。
【００２６】
信号解析部３２は、メモリ３８に記憶された複数の収集音レベルに対する解析によって解析結果情報を生成し、その情報を表示部４０に表示させる。左スピーカ２６または右スピーカ２８の位置が適切でない場合、解析結果情報は、左スピーカ２６または右スピーカ２８を、リスナーに近付く方向（前方）またはリスナーから遠ざかる方向（後方）のいずれの方向に移動すべきかを示す。左スピーカ２６および右スピーカ２８の位置が適切である場合、解析結果情報は、各スピーカの位置が適切であることを示す。
【００２７】
次に、スピーカ位置決定方法の詳細について説明する。信号解析装置３０およびオーディオアンプ１０は、図２に示される信号レベル測定処理を実行する。すなわち、信号解析装置３０は図２のシーケンスチャートにおけるステップＳ１〜Ｓ１０を実行し、オーディオアンプ１０は図２のシーケンスチャートにおけるステップＳＡ１〜ＳＡ５を実行する。
【００２８】
信号解析装置３０の制御によって（Ｓ１）、オーディオアンプ１０は左スピーカ２６にテストパルス信号ＬＲ０を出力する（ＳＡ１）。これによって、左スピーカ２６からテストパルス音が発せられる。
【００２９】
信号解析装置３０は、左スピーカ２６から発せられたテストパルス音をマイクロホン３６によって収集する。信号解析装置３０における信号解析部３２は、マイクロホン３６から得られる第１集音信号Ｃ１のピークレベルを示す第１収集音レベルＡ１を求めメモリ３８に記憶する（Ｓ２）。
【００３０】
信号解析装置３０の制御によって（Ｓ３）、オーディオアンプ１０は右スピーカ２８にテストパルス信号ＲＬ０を出力する（ＳＡ２）。これによって、右スピーカ２８からテストパルス音が発せられる。
【００３１】
信号解析装置３０は、右スピーカ２８から発せられたテストパルス音をマイクロホン３６によって収集する。信号解析装置３０における信号解析部３２は、マイクロホン３６から得られる第２集音信号Ｃ２のピークレベルを示す第２収集音レベルＡ２を求めメモリ３８に記憶する（Ｓ４）。
【００３２】
図３（ａ）には、ステップＳＡ１においてオーディオアンプ１０から左スピーカ２６に出力され、ステップＳＡ２においてオーディオアンプ１０から右スピーカ２８に出力されるテストパルス信号ＬＲ０の時間波形の例が示されている。図３（ｂ）には信号解析部３２で取得される第１集音信号Ｃ１の時間波形の例が示され、図３（ｃ）には信号解析部３２で取得される第２集音信号Ｃ２の時間波形の例が示されている。図３（ｂ）および（ｃ）には、左スピーカ２６からマイクロホン３６までの距離の方が、右スピーカ２８からマイクロホン３６までの距離よりも長い例が示されている。すなわち、左スピーカ２６がテストパルス音を発生してから第１集音信号Ｃ１が取得されるまでの時間が、右スピーカ２８がテストパルス音を発生してから第２集音信号Ｃ２が取得されるまでの時間よりも、時間τだけ長い例が示されている。以下に示される図４〜図６についても同様である。
【００３３】
信号解析装置３０の制御によって（Ｓ５）、オーディオアンプ１０は、左スピーカ２６および右スピーカ２８に、同時にテストパルス信号Ｌ１およびＲ１を出力する（ＳＡ３）。これによって、左スピーカ２６および右スピーカ２８からは同時にテストパルス音が発せられる。
【００３４】
信号解析装置３０は、左スピーカ２６および右スピーカ２８から発せられたテストパルス音をマイクロホン３６によって収集する。信号解析装置３０における信号解析部３２は、マイクロホン３６から得られる第３集音信号Ｃ３のピークレベルを示す第３収集音レベルを求めメモリ３８に記憶する（Ｓ６）。
【００３５】
図４（ａ）には、ステップＳＡ３においてオーディオアンプ１０から左スピーカ２６に出力されるテストパルス信号Ｌ１の時間波形の例、および、オーディオアンプ１０から右スピーカ２８に出力されるテストパルス信号Ｒ１の時間波形の例が示されている。図４（ｂ）には信号解析部３２で取得される第３集音信号Ｃ３の時間波形の例が示されている。第３集音信号Ｃ３は、左スピーカ２６が発生するテストパルス音に基づき取得される左集音信号ＣＬ３と、右スピーカ２８が発生するテストパルス音に基づき取得される右集音信号ＣＲ３とが足し合わされた信号である。
【００３６】
信号解析装置３０の制御によって（Ｓ７）、オーディオアンプ１０は左スピーカ２６にテストパルス信号Ｌ２を出力する（ＳＡ４）。また、信号解析装置３０の制御によって（Ｓ７）、オーディオアンプ１０は、テストパルス信号Ｌ２に対して時間ｄだけ遅れて、右スピーカ２８に遅延テストパルス信号Ｒ２を出力する（ＳＡ４）。これによって、左スピーカ２６からテストパルス音が発せられ、時間ｄだけ遅れて右スピーカ２８から遅延テストパルス音が発せられる。
【００３７】
信号解析装置３０は、左スピーカ２６から発せられたテストパルス音、および右スピーカ２８から発せられた遅延テストパルス音をマイクロホン３６によって収集する。信号解析装置３０における信号解析部３２は、マイクロホン３６から得られる第４集音信号Ｃ４のピークレベルを示す第４収集音レベルＡ４を求めメモリ３８に記憶する（Ｓ８）。
【００３８】
図５（ａ）には、ステップＳＡ４においてオーディオアンプ１０から左スピーカ２６に出力されるテストパルス信号Ｌ２の時間波形の例、および、オーディオアンプ１０から右スピーカ２８に出力される遅延テストパルス信号Ｒ２の時間波形の例が示されている。図５（ｂ）には信号解析装置３０で取得される第４集音信号Ｃ４の時間波形の例が示されている。第４集音信号Ｃ４は、左スピーカ２６が発生するテストパルス音に基づき取得される左集音信号ＣＬ４と、右スピーカ２８が発生する遅延テストパルス音に基づき取得される右集音信号ＣＲ４とが足し合わされた信号である。
【００３９】
信号解析装置３０の制御によって（Ｓ９）、オーディオアンプ１０は右スピーカ２８にテストパルス信号Ｒ３を出力する（ＳＡ５）。また、テストパルス信号Ｒ３に対して時間ｄだけ遅れて、左スピーカ２６に遅延テストパルス信号Ｌ３を出力する（ＳＡ５）。これによって、右スピーカ２８からテストパルス音が発せられ、時間ｄだけ遅れて左スピーカ２６から遅延テストパルス音が発せられる。
【００４０】
信号解析装置３０は、右スピーカ２８から発せられたテストパルス音、および左スピーカ２６から発せられた遅延テストパルス音をマイクロホン３６によって収集する。信号解析部３２は、マイクロホン３６から得られる第５集音信号Ｃ５のピークレベルを示す第５収集音レベルＡ５を求めメモリ３８に記憶する（Ｓ１０）。
【００４１】
図６（ａ）には、ステップＳＡ５においてオーディオアンプ１０から右スピーカ２８に出力されるテストパルス信号Ｒ３の時間波形の例、および、オーディオアンプ１０から左スピーカ２６に出力される遅延テストパルス信号Ｌ３の時間波形の例が示されている。図６（ｂ）には信号解析装置３０で取得される第５集音信号Ｃ５の時間波形の例が示されている。第５集音信号Ｃ５は、右スピーカ２８が発生するテストパルス音に基づき取得される左集音信号ＣＲ５と、左スピーカ２６が発生する遅延テストパルス音に基づき取得される左集音信号ＣＬ５とが足し合わされた信号である。
【００４２】
ステップＳＡ３〜ＳＡ５では、左スピーカ２６から発せられるテストパルス信号と、右スピーカ２８から発せられるテストパルス信号との間に、各ステップにおいて規定されている相対的な時間関係が成立していればよい。すなわち、各テストパルス信号に共通の絶対的な遅延時間は任意である。例えば、ステップＳＡ３では、左スピーカ２６に出力するテストパルス信号と、右スピーカ２８に出力するテストパルス信号を、同じ時間ｄだけ遅延させてもよい。また、ステップＳＡ５では、右スピーカ２８に出力するテストパルス信号を時間ｄだけ遅延させ、左スピーカ２６に出力するテストパルス信号を時間２ｄだけ遅延させてもよい。
【００４３】
この場合、ステップＳＡ３〜ＳＡ５のそれぞれでは、右スピーカ２８に時間ｄだけ遅延したテストパルス信号が出力される。また、ステップＳＡ３では、左スピーカ２６に時間ｄだけ遅延したテストパルス信号が出力される。そして、ステップＳＡ４では、左スピーカ２６に遅延のないテストパルス信号が出力され、ステップＳＡ５では、左スピーカ２６に時間２ｄだけ遅延したテストパルス信号が出力される。
【００４４】
なお、上記では、図２のステップＳＡ４における遅延テストパルス信号Ｒ２の遅延時間と、図２のステップＳＡ５における遅延テストパルス信号Ｌ３の遅延時間とを同一の時間としたが、これらの遅延時間は異なってもよい。
【００４５】
また、上記では、オーディオアンプ１０から左スピーカ２６に出力されるテストパルス信号の時間波形と、オーディオアンプ１０から右スピーカ２８に出力されるテストパルス信号の時間波形を同一のものとしたが、これらの時間波形は異なるものであってもよい。
【００４６】
また、望ましくは、オーディオアンプ１０から左スピーカ２６に出力されるテストパルス信号の時間波形は総て同一であり、オーディオアンプ１０から右スピーカ２８に出力されるテストパルス信号の時間波形は総て同一であるものとする。オーディオアンプ１０から左スピーカ２６に出力されるテストパルス信号の時間波形にばらつきがある場合は、ばらつきが小さい程、測定の信頼性が高まる。同様に、オーディオアンプ１０から右スピーカ２８に出力されるテストパルス信号の時間波形にばらつきがある場合は、ばらつきが小さい程、測定の信頼性が高まる。
【００４７】
さらに、テストパルス信号に代えて、時間軸上で連続的な正弦波信号が用いられてもよい。この場合、信号解析部３２は収集音レベルとして、例えば、正弦波のピーク・ピーク値、振幅値等を測定する。
【００４８】
図２に示される信号レベル測定処理が実行された後、信号解析部３２は、図７のフローチャートで示される信号解析処理を実行する。信号解析処理は、信号レベル測定処理によって記憶された第１収集音レベルＡ１〜第５収集音レベルＡ５を用いて、解析結果情報を求める処理である。
【００４９】
信号解析処理の原理は次の通りである。左スピーカ２６からマイクロホン３６までの距離と、右スピーカ２８からマイクロホン３６までの距離とが等しい場合、左スピーカ２６および右スピーカ２８から同時にテストパルス音が発せられた条件下での第３収集音レベルＡ３は、第４収集音レベルＡ４および第５収集音レベルＡ５のいずれよりも大きくなる。第４収集音レベルＡ４および第５収集音レベルＡ５は、左スピーカ２６および右スピーカ２８からのテストパルス音が、同時にマイクロホン３６に到達しないときのレベルであるためである。そこで信号解析部３２は、第３収集音レベルＡ３が、第４収集音レベルＡ４および第５収集音レベルＡ５のいずれよりも大きいときは、各スピーカの位置が適切であることを示す解析結果情報を生成する。
【００５０】
他方、左スピーカ２６からマイクロホン３６までの距離の方が、右スピーカ２８からマイクロホン３６までの距離よりも長い場合、右スピーカ２８からのテストパルス音を、左スピーカ２６からのテストパルス音に対して遅らせた方が、左右の遅延関係をその逆とした場合よりも収集音レベルは大きくなる。ただし、上記の遅延時間ｄは適切に定められているものとする。
【００５１】
この場合、右スピーカ２８からのテストパルス音を、左スピーカ２６からのテストパルス音に対して遅らせた条件下での第４収集音レベルＡ４は、第３収集音レベルＡ３および第５収集音レベルＡ５のいずれよりも大きくなる。そこで信号解析部３２は、第４収集音レベルＡ４が第３収集音レベルＡ３および第５収集音レベルＡ５のいずれよりも大きいときは、左スピーカ２６を前方に移動するか、右スピーカ２８を後方に移動することをユーザに指示する解析結果情報を生成する。
【００５２】
同様の原理に基づき、信号解析部３２は、第５収集音レベルＡ５が第３収集音レベルＡ３および第４収集音レベルＡ４のいずれよりも大きいときは、右スピーカ２８を前方に移動するか、左スピーカ２６を後方に移動することをユーザに指示する解析結果情報を生成する。
【００５３】
なお、図７に示される信号解析処理では、第３収集音レベルＡ３、第４収集音レベルＡ４、および第５収集音レベルＡ５のそれぞれを、第１収集音レベルＡ１と第２収集音レベルＡ２の和である基準レベルで規格化しているが、信号解析処理の原理は上記と同様である。
【００５４】
信号解析部３２は、第１収集音レベルＡ１と第２収集音レベルＡ２を加算し、基準レベルＡ０＝Ａ１＋Ａ２を求める（Ｓ１０１）。信号解析部３２は、第３収集音レベルＡ３を基準レベルＡ０で割ったスコアＳＣ３＝Ａ３／Ａ０を求める（Ｓ１０２）。また、信号解析部３２は、第４収集音レベルＡ４を基準レベルＡ０で割ったスコアＳＣ４＝Ａ４／Ａ０を求め（Ｓ１０３）、さらに、第５収集音レベルＡ５を基準レベルＡ０で割ったスコアＳＣ５＝Ａ５／Ａ０を求める（Ｓ１０４）。
【００５５】
信号解析部３２は、スコアＳＣ３〜ＳＣ５のうち、スコアＳＣ３が最大であるか否かを判定する（Ｓ１０５）。信号解析部３２は、スコアＳＣ３が最大であるときは、左スピーカ２６および右スピーカ２８の位置が適切であることを示す解析結果情報を表示部４０に出力する（Ｓ１０６）。表示部４０は、各スピーカの位置が適切であることを示す情報を表示する。
【００５６】
信号解析部３２は、スコアＳＣ３が最大でないときは、スコアＳＣ３〜ＳＣ５のうち、スコアＳＣ４が最大であるか否かを判定する（Ｓ１０７）。信号解析部３２は、スコアＳＣ４が最大であるときは、右スピーカ２８を後方に移動するか、左スピーカ２６を前方に移動することをユーザに指示する解析結果情報を表示部４０に出力する（Ｓ１０８）。表示部４０は、解析結果情報に応じて、右スピーカ２８を後方に移動するか、左スピーカ２６を前方に移動することをユーザに指示する情報を表示する。
【００５７】
信号解析部３２は、スコアＳＣ４が最大でなく、スコアＳＣ５が最大であるときは、右スピーカ２８を前方に移動するか、左スピーカ２６を後方に移動することをユーザに指示する解析結果情報を表示部４０に出力する（Ｓ１０９）。表示部４０は、右スピーカ２８を前方に移動するか、左スピーカ２６を後方に移動することをユーザに指示する情報を表示する。
【００５８】
図３〜図６に示されている例では、左スピーカ２６からマイクロホン３６までの距離の方が、右スピーカ２８からマイクロホン３６までの距離よりも長い。したがって、右スピーカ２８からのテストパルス音を、左スピーカ２６からのテストパルス音に対して遅らせた方が、左右の遅延関係をその逆とした場合よりも、収集音レベルが大きくなる。すなわち、右スピーカ２８からのテストパルス音を、左スピーカ２６からのテストパルス音に対して遅らせた条件下で取得された第４収集音レベルＡ４は、左右の遅延関係をその逆とした条件下で取得された第５収集音レベルＡ５よりも大きくなる。そのため、信号解析部３２は、右スピーカ２８を後方に移動するか、左スピーカ２６を前方に移動することをユーザに指示する情報を表示部４０に出力する。表示部４０は、右スピーカ２８を後方に移動するか、左スピーカ２６を前方に移動することをユーザに指示する情報を表示する。
【００５９】
上記の信号解析処理によって、各スピーカの位置が適切であることを示す情報が表示部４０に表示されたときは、ユーザは、左スピーカ２６および右スピーカ２８の配置を現状のままにすればよい。信号解析装置３０におけるマイクロホン３６の位置が適切なリスニングポイントとなる。
【００６０】
一方、左スピーカ２６または右スピーカ２８の移動方向を指示する情報が表示部４０に表示されたときは、ユーザはその指示に従って、左スピーカ２６または右スピーカ２８の配置位置を変更すればよい。そして、再度、図２に示される信号レベル測定処理をスピーカ位置決定システムに実行させ、図６に示される信号解析処理を信号解析装置３０に実行させればよい。
【００６１】
本実施形態に係る信号解析装置３０では、表示部４０が表示する解析結果情報は、左スピーカ２６または右スピーカ２８の移動方向をユーザに指示する。ユーザは、左スピーカ２６または右スピーカ２８のうち一方を基準スピーカとして固定配置してもよい。すなわち、ユーザは、信号解析装置３０によって固定配置しない他方のスピーカの移動方向を調べ、他方のスピーカを調整スピーカとして位置を調整してもよい。また、ユーザの設定に応じて、信号解析部３２は、左スピーカ２６の移動方向のみを指示する情報を表示部４０に表示させてもよいし、右スピーカ２８の移動方向のみを指示する情報を表示部４０に表示させてもよい。
【００６２】
このような信号レベル測定処理および信号解析処理によれば、左右のスピーカの位置が適切でないことのみならず、各スピーカを移動すべき方向がユーザに示される。これによって、左右のスピーカを適切な位置に配置してリスニングポイントを調整する作業が容易となる。
【００６３】
図７に示される処理は、第１収集音レベルＡ１および第２収集音レベルＡ２を用いない処理に変形され得る。すなわち、ステップＳ１０１を実行することなく、スコアＳＣ３、スコアＳＣ４およびＳＣ５の代わりに、それぞれ、第３収集音レベルＡ３、第４収集音レベルＡ４および第５収集音レベルＡ５が用いられてもよい。この場合、図２に示される信号レベル測定処理において信号解析装置３０はステップＳ１〜Ｓ４を実行しなくてもよく、オーディオアンプ１０は、ステップＳＡ１およびＳＡ２を実行しなくてもよい。
【００６４】
なお、図２のステップＳＡ４における遅延テストパルス信号Ｒ２の遅延時間、または図２のステップＳＡ５における遅延テストパルス信号Ｌ３の遅延時間が適切でない場合には、正確な解析結果情報が得られないことがある。そこで、信号解析部３２は、遅延テストパルス信号Ｒ２の遅延時間、および遅延テストパルス信号Ｌ３の遅延時間として複数種の値を用いてもよい。この場合、信号解析部３２は、複数種の遅延時間のそれぞれについて、信号レベル測定処理（図２）および信号解析処理（図７または図８）を実行し、複数種の遅延時間のそれぞれについて得られた解析結果情報を表示部４０に表示してもよい。ユーザは、複数の解析結果情報が異なる結果を示しているときは、例えば、同一の結果を示している解析結果情報の数が多いものに従って、左スピーカ２６または右スピーカ２８を移動させればよい。
【００６５】
信号解析部３２は、図７に示される処理に代えて、図８に示される処理を実行してもよい。信号解析部３２は、第１収集音レベルＡ１と第２収集音レベルＡ２を加算し、基準レベルＡ０＝Ａ１＋Ａ２を求める（Ｓ２０１）。
【００６６】
信号解析部３２は、第３収集音レベルＡ３を基準レベルＡ０で割ったスコアＳＣ３＝Ａ３／Ａ０を求め（Ｓ２０２）、スコアＳＣ３が所定の閾値ＴＨを超えるか否かを判定する（Ｓ２０３）。
【００６７】
信号解析部３２は、スコアＳＣ３が所定の閾値を超えるときは、左スピーカ２６および右スピーカ２８の位置が適切であることを示す解析結果情報を表示部４０に出力する（Ｓ２０４）。表示部４０は、各スピーカの位置が適切であることを示す情報を表示する。
【００６８】
信号解析部３２は、スコアＳＣ３が所定の閾値以下であるときは、第４収集音レベルＡ４と第５収集音レベルＡ５を比較する（Ｓ２０５）。
【００６９】
信号解析部３２は、第４収集音レベルＡ４が第５収集音レベルＡ５よりも大きいときは、右スピーカ２８を後方に移動するか、左スピーカ２６を前方に移動することをユーザに指示する解析結果情報を表示部４０に出力する（Ｓ２０６）。表示部４０は、解析結果情報に応じて、右スピーカ２８を後方に移動するか、左スピーカ２６を前方に移動することをユーザに指示する情報を表示する。
【００７０】
信号解析部３２は、第５収集音レベルＡ５が第４収集音レベルＡ４以上であるときは、右スピーカ２８を前方に移動するか、左スピーカ２６を後方に移動することをユーザに指示する解析結果情報を表示部４０に出力する（Ｓ２０７）。表示部４０は、右スピーカ２８を前方に移動するか、左スピーカ２６を後方に移動することをユーザに指示する情報を表示する。
【００７１】
このように、信号解析部３２は、オーディオアンプ１０に左スピーカ２６（第１スピーカ）からテストパルス音（第１テスト音）を発生させ、左スピーカ２６から発せられた音の収集に基づく第１集音信号Ｃ１を取得する第１集音部、オーディオアンプ１０に右スピーカ２８（第２スピーカ）からテストパルス音（第２テスト音）を発生させ、右スピーカ２８から発せられた音の収集に基づく第２集音信号Ｃ２を取得する第２集音部、オーディオアンプ１０に左スピーカ２６から第１テスト音を発生させ、同時にオーディオアンプ１０に右スピーカ２８から第２テスト音を発生させ、左スピーカ２６および右スピーカ２８から発せられた音の収集に基づく第３集音信号Ｃ３（同時集音信号）を取得する同時集音部、オーディオアンプ１０に左スピーカ２６から第１テスト音を発生させ、左スピーカ２６から発生した第１テスト音に対して遅延している第２テスト音を右スピーカ２８から発生させ、さらに、左スピーカ２６および右スピーカ２８から発せられた音の集音に基づく第４集音信号Ｃ４（第１遅延集音信号）を取得する第１遅延集音部、ならびに、オーディオアンプ１０に右スピーカ２８から第２テスト音を発生させ、右スピーカ２８から発生した第２テスト音に対して遅延している第１テスト音を左スピーカ２６から発生させ、さらに、左スピーカ２６および右スピーカ２８から発せられた音の集音に基づく第５集音信号Ｃ５（第２遅延集音信号）を取得する第２遅延集音部としての機能を有している。左スピーカ２６から発せられる第１テスト音の時間波形と、右スピーカ２８から発せられる第２テスト音の時間波形は同一であってもよいし、相違があってもよい。
【００７２】
さらに、図７に示される処理を実行する信号解析部３２は、第３集音信号Ｃ３のレベル、第４集音信号Ｃ４のレベル、および第５集音信号Ｃ５のレベルを比較する比較部としての機能を有している。そして、図８に示される処理を実行する信号解析部３２は、第１集音信号Ｃ１のレベルおよび第２集音信号Ｃ２のレベルを合算した合算レベルと第３集音信号Ｃ３のレベルとを比較し、さらに、第４集音信号Ｃ４のレベルおよび第５集音信号Ｃ５のレベルを比較する比較部としての機能を有している。
【００７３】
第１集音部、第２集音部、同時集音部、第１遅延集音部、第２遅延集音部および比較部は、メモリ３８に記憶された信号解析プログラムを信号解析部３２が実行することで信号解析部３２内に実現される。また、信号解析部３２において実現される構成要素の一部または全部は、ハードウエアであるデジタル回路によって個別的に構成されてもよい。また、メモリ３８は、光ディスク、磁気ディスク、ＩＣ等の着脱自在な記憶媒体であってもよく、信号解析プログラムはこの記憶媒体に記憶されていてもよい。
【００７４】
なお、図２に示される信号レベル測定処理のステップＳＡ５は、次のような処理であってもよい。すなわち、信号解析装置３０の制御によって、オーディオアンプ１０が左スピーカ２６にテストパルス信号Ｌ２を出力した後、信号解析装置３０の制御によって、オーディオアンプ１０が、テストパルス信号Ｌ２に対して上記の時間ｄより長い時間ｄ２だけ遅れて、右スピーカ２８に遅延テストパルス信号を出力する処理であってもよい。これによって、左スピーカ２６からテストパルス音が発せられ、時間ｄより長い時間ｄ２だけ遅れて右スピーカ２８から遅延テストパルス音が発せられる。
【００７５】
この場合、図７のステップＳ１０９、および図８のステップＳ２０７では、右スピーカ２８を後方に移動すべきこと、あるいは左スピーカ２６を前方に移動すべきことをユーザに指示する情報が表示部４０に表示される。さらに、図７のステップ１０８では、スピーカを移動させる距離が小さく、ステップＳ１０９では、スピーカを移動させる距離が大きいことが表示部４０に表示されてもよい。同様に、図８のステップ２０６では、スピーカを移動させる距離が小さく、ステップＳ２０７では、スピーカを移動させる距離が大きいことが表示部４０に表示されてもよい。さらに、スピーカを移動させるべき距離が表示部４０に表示されてもよい。
【００７６】
この処理において、信号解析部３２は、オーディオアンプ１０に左スピーカ２６から第１テスト音を発生させ、左スピーカ２６から発せられた音の収集に基づく第１集音信号Ｃ１を取得する第１集音部、オーディオアンプ１０に右スピーカ２８から第２テスト音を発生させ、右スピーカ２８から発せられた音の収集に基づく第２集音信号Ｃ２を取得する第２集音部、オーディオアンプ１０にオーディオアンプ１０に左スピーカ２６から第１テスト音を発生させ、同時にオーディオアンプ１０に右スピーカ２８から第２テスト音を発生させ、左スピーカ２６および右スピーカ２８から発せられた音の収集に基づく第３集音信号Ｃ３（同時集音信号）を取得する同時集音部、オーディオアンプ１０に左スピーカ２６から第１テスト音を発生させ、左スピーカ２６から発生した第１テスト音に対して第１時間ｄだけ遅延している第２テスト音を右スピーカ２８から発生させ、さらに、左スピーカ２６および右スピーカ２８から発せられた音の集音に基づく第４集音信号Ｃ４（第１遅延集音信号）を取得する第１遅延集音部、ならびに、オーディオアンプ１０に左スピーカ２６から第１テスト音を発生させ、左スピーカ２６から発生した第１テスト音に対して第１時間ｄより長い第２時間ｄ２だけ遅延している第２テスト音を右スピーカ２８から発生させ、さらに、左スピーカ２６および右スピーカ２８から発せられた音の集音に基づく第５集音信号Ｃ５（第２遅延集音信号）を取得する第２遅延集音部としての機能を有している。
【００７７】
図９には、変形例に係るスピーカ位置決定システムの構成が示されている。図１のスピーカ位置決定システムの構成要素と同一の構成要素については同一の符号を付してその説明を省略する。このシステムにおけるオーディオアンプ４２は、図１のシステムにおける信号解析装置３０をオーディオアンプ１０に搭載し、制御部１４と信号解析部３２とを有線接続し、さらに、マイクロホン３６をオーディオアンプ４２の外部に設けたものである。マイクロホン３６は、ケーブルを介してオーディオアンプ４２に着脱自在となっている。
【００７８】
信号解析装置４４は、信号解析部３２、メモリ３８および表示部４０を備え、オーディオアンプ４２に搭載されている。信号解析部３２がメモリ３８に記憶された信号解析プログラムを実行することで、信号解析部３２は、スピーカ位置決定方法の過程に応じた指令情報を制御部１４に出力する。
【００７９】
上記のいずれの実施形態においても、信号解析部３２は、ローカルエリアネットワーク、インターネット等の通信網を介して外部のコンピュータに接続されてもよい。この場合、信号解析部３２は、信号解析プログラムの指令の一部を外部のコンピュータに実行させてもよい。また、信号解析部３２は、信号解析プログラムの実行に必要な情報や、信号解析プログラムの実行によって得られた情報を、メモリ３８の他、外部のコンピュータに記憶させてもよい。
【００８０】
上記の実施形態では、左スピーカ２６および右スピーカ２８の２チャネルのスピーカを有するオーディオシステムについて説明した。本発明は、３チャネル以上の複数のスピーカを有するサラウンドシステム等に用いてもよい。この場合、複数のスピーカのうちから選択した２つのスピーカについて、それら２つのスピーカの位置が適切であるか否かを信号解析装置（３０，４４）に判定させる。ユーザは、複数のスピーカから２つを選択する総ての組み合わせについて、１つの組み合わせごとに位置の判定および修正を行うというプロセスを繰り返せばよい。
【符号の説明】
【００８１】
１０，４２  オーディオアンプ、１２  アンプ側無線部、１４  制御部、１６  パルス信号生成部、１８  左チャネル増幅回路、２０  右チャネル増幅回路、２２  左オーディオ信号、２４  右オーディオ信号、２６  左スピーカ、２８  右スピーカ、３０，４４  信号解析装置、３２  信号解析部、３４  解析装置側無線部、３６  マイクロホン、３８  メモリ、４０  表示部。
【図１】
2018170545.tif 000003
【図２】
2018170545.tif 000004
【図３】
2018170545.tif 000005
【図４】
2018170545.tif 000006
【図５】
2018170545.tif 000007
【図６】
2018170545.tif 000008
【図７】
2018170545.tif 000009
【図８】
2018170545.tif 000010
【図９】
2018170545.tif 000011